(57)【特許請求の範囲】
【請求項１】
基礎杭の施工支援装置であって、
視準方向と画像中心とが所定の位置関係となる撮像装置と、視準方向を遠隔操作可能な姿勢調整装置と、を備えた測量機器と接続され、杭打ち機に支持される削孔用オーガまたは杭本体を含む測量対象を撮像した画像及び前記測量対象を視準した測量データを入力する第１通信インタフェースと、
前記測量対象を撮像した画像に基づいて前記測量対象の軸芯に対する視準方向の偏り角度を算出する画像処理装置と、
前記測量機器でノンプリズム方式を用いて測量した前記測量対象の中心近傍位置までの測量データと、前記画像処理装置で算出した偏り角度とに基づいて前記測量対象の実軸芯位置を算出する実軸芯位置算出装置と、
前記実軸芯位置算出装置で算出した前記測量対象の実軸芯位置と予め設定された設計杭芯位置とに基づいて前記測量対象に対する補正量及び補正方向を算出する補正処理装置と、
前記補正処理装置で算出した補正量及び補正方向を示す補正案内画像を生成する補正案内画像生成装置と、
前記補正案内画像を他の表示装置で表示可能に通信する第２通信インタフェースと、
を備えている基礎杭の施工支援装置。
【請求項２】
前記画像処理装置は、前記測量対象の高さ方向に異なる二点に対する画像に基づいて前記測量対象の軸芯に対する視準方向の偏り角度を算出し、
前記実軸芯位置算出装置は、前記測量対象の高さ方向に異なる二点に対する実軸芯位置を算出し、
前記補正処理装置は、前記測量対象の高さ方向に異なる二点に対する補正量及び補正方向を算出し、
前記補正案内画像生成装置は、前記測量対象の高さ方向に異なる二点に対する補正案内画像を表示する、
ように構成されている請求項１記載の基礎杭の施工支援装置。
【請求項３】
前記補正処理装置で算出された補正量及び補正方向に基づいて前記杭打ち機で削孔された杭孔、或は打ち込まれた杭本体の深さとずれの履歴情報を記憶する記憶装置を備えている請求項１または２記載の基礎杭の施工支援装置。
【請求項４】
基礎杭の施工支援装置であって、
視準方向と画像中心とが所定の位置関係となる撮像装置と、視準方向を遠隔操作可能な姿勢調整装置と、を備えた測量機器と接続され、杭打ち機に支持され削孔用オーガまたは杭本体より上方に位置する第１の測量対象の中心近傍位置を前記測量機器でノンプリズム方式を用いて測量した測量データ及び前記第１の測量対象を撮像した画像を入力する第１通信インタフェースと、
前記第１の測量対象を撮像した画像に基づいて前記杭打ち機の移動に伴って生じる前記第１の測量対象に設定された所定の基準位置に対する視準方向のずれ量を算出する画像処理装置と、
前記ずれ量に基づいて前記姿勢調整装置を遠隔操作して前記測量機器の視準方向を調整する追尾処理装置と、
前記測量機器で測量した前記第１の測量対象の位置が予め設定された設計杭芯位置の近傍に位置すると、前記姿勢調整装置を遠隔操作して前記杭打ち機に支持される測量対象を前記第１の測量対象から削孔用オーガまたは杭本体を含む第２の測量対象に切り替える測量対象切替装置と、
を備えている基礎杭の施工支援装置。
【請求項５】
前記測量機器により計測した前記第１の測量対象の位置及び前記設計杭芯位置に基づいて前記杭打ち機を前記設計杭芯位置に誘導する誘導案内画像を生成する誘導案内画像生成装置と、
前記誘導案内画像を他の表示装置で表示可能に通信する第２通信インタフェースと、
を備えている請求項４記載の基礎杭の施工支援装置。
【発明の詳細な説明】
【技術分野】
【０００１】
本発明は、基礎杭の施工支援装置に関する。
【背景技術】
【０００２】
特許文献１には、水面上から河床等に杭を打設する場合に、水上部でノンプリズム方式のトータルステーションを用いて杭の上下２箇所の表面を連続計測して、杭の位置及び傾斜角度を測定し、測定結果と設計値との差を表示装置に表示する杭打ち管理システムが開示されている。
【先行技術文献】
【特許文献】
【０００３】
【特許文献１】特開２０１９−１１９９９２号公報
【発明の概要】
【発明が解決しようとする課題】
【０００４】
しかし、特許文献１に開示された杭打ち管理システムでは、測量者がトータルステーションを手動操作して杭に視準を合せる必要があり、トータルステーションの操作のために常時測量者がトータルステーションの近傍で待機しなければならないという問題や、ノンプリズム方式であるために杭に対する視準方向が変動する可能性が高く、測量値の信頼性が十分に保てないという問題があった。
【０００５】
また、杭打ち作業の各工程において作業の効率化を図りたいとの強い要請もあった。
【０００６】
本発明の目的は、上述した従来の課題に鑑み、杭打ち作業に要する工程を可能な限り自動化して人手を介さずに精度の高い計測処理を可能にする基礎杭の施工支援装置を提供する点にある。
【課題を解決するための手段】
【０００７】
上述の目的を達成するため、本発明による基礎杭の施工支援装置の第一の特徴構成は、視準方向と画像中心とが所定の位置関係となる撮像装置と、視準方向を遠隔操作可能な姿勢調整装置と、を備えた測量機器と接続され、杭打ち機に支持される削孔用オーガまたは杭本体を含む測量対象を撮像した画像及び前記測量対象を視準した測量データを入力する第１通信インタフェースと、前記測量対象を撮像した画像に基づいて前記測量対象の軸芯に対する視準方向の偏り角度を算出する画像処理装置と、前記測量機器でノンプリズム方式を用いて測量した前記測量対象の中心近傍位置までの測量データと、前記画像処理装置で算出した偏り角度とに基づいて前記測量対象の実軸芯位置を算出する実軸芯位置算出装置と、前記実軸芯位置算出装置で算出した前記測量対象の実軸芯位置と予め設定された設計杭芯位置とに基づいて前記測量対象に対する補正量及び補正方向を算出する補正処理装置と、前記補正処理装置で算出した補正量及び補正方向を示す補正案内画像を生成する補正案内画像生成装置と、前記補正案内画像を他の表示装置で表示可能に通信する第２通信インタフェースと、を備えている点にある。
【０００８】
測量機器でノンプリズム方式を用いて測量した測量対象の中心近傍位置までの測量データと測量対象を撮像した画像が第１通信インタフェースを介して施工支援装置に入力される。画像処理装置では、視準方向と画像中心とが所定の位置関係となる撮像装置で撮像された画像に基づいて測量対象の杭芯に対する視準方向の偏り角度が算出される。実軸芯位置算出装置では、測量対象までの測量データと当該偏り角度とに基づいて測量対象の実軸芯位置が算出される。補正処理装置では、当該実軸芯位置と予め設定された設計杭芯位置とに基づいて測量対象に対する補正量及び補正方向、つまりずれ量及びずれ方向が算出される。補正案内画像生成装置により、作業者が測量対象の姿勢調整装置を調整して削孔または杭打ちするために必要となる補正量及び補正方向を示す補正案内画像が生成され、第２通信インタフェースを介して他の表示装置に補正案内画像が表示されるように出力される。
【０００９】
同第二の特徴構成は、上述の第一の特徴構成に加えて、前記画像処理装置は、前記測量対象の高さ方向に異なる二点に対する画像に基づいて前記測量対象の軸芯に対する視準方向の偏り角度を算出し、前記実軸芯位置算出装置は、前記測量対象の高さ方向に異なる二点に対する実軸芯位置を算出し、前記補正処理装置は、前記測量対象の高さ方向に異なる二点に対する補正量及び補正方向を算出し、前記補正案内画像生成装置は、前記測量対象の高さ方向に異なる二点に対する補正案内画像を表示する、ように構成されている点にある。
【００１０】
測量対象の高さ方向に異なる二点に対して測量及び撮像を実行すれば、其々の高さ方向で実軸芯位置が算出できるため、其々の実軸芯位置を基準に二点間の傾斜状態が正確に求まり、補正案内画像に傾斜方向を組み込むことができる。
【００１１】
同第三の特徴構成は、上述の第一または第二の特徴構成に加えて、前記補正処理装置で算出された補正量及び補正方向に基づいて前記杭打ち機で削孔された杭孔、或は打ち込まれた杭本体の深さとずれの履歴情報を記憶する記憶装置を備えている点にある。
【００１２】
削孔過程または杭打ち過程の履歴が詳細に記憶装置に管理されるので、施工時及び施工完了後の何れの時点でも各作業の評価を行なうことが可能になる。
【００１３】
同第四の特徴構成は、視準方向と画像中心とが所定の位置関係となる撮像装置と、視準方向を遠隔操作可能な姿勢調整装置と、を備えた測量機器と接続され、杭打ち機に支持され削孔用オーガまたは杭本体より上方に位置する第１の測量対象の中心近傍位置を前記測量機器でノンプリズム方式を用いて測量した測量データ及び前記第１の測量対象を撮像した画像を入力する第１通信インタフェースと、前記第１の測量対象を撮像した画像に基づいて前記杭打ち機の移動に伴って生じる前記第１の測量対象に設定された所定の基準位置に対する視準方向のずれ量を算出する画像処理装置と、前記ずれ量に基づいて前記姿勢調整装置を遠隔操作して前記測量機器の視準方向を調整する追尾処理装置と、前記測量機器で測量した前記第１の測量対象の位置が予め設定された設計杭芯位置の近傍に位置すると、前記姿勢調整装置を遠隔操作して前記杭打ち機に支持される測量対象を前記第１の測量対象から削孔用オーガまたは杭本体を含む第２の測量対象に切り替える測量対象切替装置と、を備えている点にある。
【００１４】
設計杭芯位置に向けて移動する杭打ち機を追尾すべく測量機器が遠隔操作され、杭打ち機に支持され削孔用オーガまたは杭本体より上方位置にある第１の測量対象がノンプリズム方式で視準されて測量される。画像処理装置では、そのときに得られた画像に基づいて第１の測量対象の基準位置と視準方向とのずれ量が算出される。測量機器との位置関係の如何にかかわらず測量対象を視準でき、測量対象が障害物の陰になって撮像画像から消失するなどの不都合な事態の発生も回避することができる。追尾処理装置では、当該ずれ量に基づいて第１の測量対象を追尾すべく姿勢調整装置を遠隔操作する。測量対象切替装置は、第１の測量対象が設計杭芯位置の近傍に移動すると、第２の測量対象に切り替える。第２の測量対象が、例えば削孔用オーガであれば、その後に行なわれる削孔作業に関する測量に切り替えることができる。
【００１５】
同第五の特徴構成は、上述した第四の特徴構成に加えて、前記測量機器により計測した前記第１の測量対象の位置及び前記設計杭芯位置に基づいて前記杭打ち機を前記設計杭芯位置に誘導する誘導案内画像を生成する誘導案内画像生成装置と、前記誘導案内画像を他の表示装置で表示可能に通信する第２通信インタフェースと、を備えている点にある。
【００１６】
誘導案内画像生成装置は、第１の測量対象の位置及び設計杭芯位置に基づいて、第１の測量対象が設計杭芯位置に向けて移動するように誘導案内する誘導案内画像を生成し、他の表示装置で表示されるように、第２通信インタフェースを介して出力する。例えば、杭打ち機の運転者が表示装置に表示される誘導案内画像を目視することにより、目的とする設計杭芯位置まで正確に到達することができる。
【発明の効果】
【００１７】
以上説明した通り、本発明によれば、杭打ち作業に要する工程を可能な限り自動化して人手を介さずに精度の高い計測処理を可能にする基礎杭の施工支援装置を提供することができるようになった。
【図面の簡単な説明】
【００１８】
【図１】杭打ち機の説明図
【図２】基礎杭の施工支援システムの説明図
【図３】（ａ）は実軸芯算出原理の説明図、（ｂ）は画像処理の説明図、（ｃ）は補正案内画像の説明図
【図４】基礎杭の施工支援方法の手順を示すフローチャート
【図５】（ａ）は作業現場の説明図、（ｂ）は第１誘導案内画像の説明図、（ｃ）は第２誘導案内画像の説明図
【図６】杭打ち機誘導支援処理の手順を示すフローチャート
【図７】杭芯出し支援処理の手順を示すフローチャート
【発明を実施するための形態】
【００１９】
以下に、基礎杭の施工支援方法、基礎杭の施工支援システム、及び基礎杭の施工支援システムに組み込まれる基礎杭の施工支援装置の一態様を図面に基づいて説明する。
【００２０】
［杭打機の構成］
図１に示すように、杭打機１は、クローラ走行装置１ａを備えた旋回基台１ｂと、旋回基台１ｂに備えた運転席１ｃの前方に立設支持されたリーダー１ｄと、リーダー１ｄの立設姿勢を調整する左右一対のシリンダ機構１ｅなどを備えている。
【００２１】
リーダー１ｄには、削孔用のオーガ２を回転可能に支持するモータ３がワイヤーで吊下げ支持されている。モータ３で回転駆動されたオーガ２が削孔対象となる設計杭芯位置の上方から下降操作されることにより、杭打ち用の孔が削孔される。運転席１ｃで作業者が複数の操縦桿を操作して左右のシリンダ機構１ｅを伸縮させることによりリーダー１ｄの姿勢が調整され、それによって削孔時のオーガ２の削孔位置が調整される。そして、ワイヤーの繰出し操作がなされて削孔作業が進行する。
【００２２】
削孔が終了すると、リーダー１ｄに杭保持機構が取り付けられ、ＲＣ杭や遠心力プレストレストコンクリート杭（ＰＣ杭）などが杭保持機構に保持されつつオーガ２で掘削された孔部に打ち込まれる。
【００２３】
一例として、リーダー１ｄの直径は約１０００ｍｍ、杭の直径は６００〜８００ｍｍ、オーガ２により削孔された孔の径は杭の直径より約２００ｍｍ大きな値になるように、オーガ２の軸の径及びスクリュー刃の径が設定されている。つまり、オーガ２により削孔された孔径は、その孔に打ち込まれる杭の径より十分大きな値設定されている。
【００２４】
［基礎杭の施工支援システム］
基礎杭の施工支援システムは、測量機器１０と、基礎杭の施工支援装置２０（以下、単に「施工支援装置２０」と記す。）と、単一または複数の表示装置３０と、施工管理サーバ４０などを備えている。測量機器１０と施工支援装置２０とがブルートゥース（Bluetooth）（登録商標）などの無線通信規格で動作する第１通信インタフェース（以下、「ＩＦ」と記す。）を介して通信可能に接続され、施工支援装置２０と表示装置３０と施工管理サーバ４０とがＷｉ−Ｆｉなどの無線通信規格で動作する第２通信ＩＦを介してインターネット５に接続されている。
【００２５】
なお、測量機器１０と施工支援装置２０とは、中継器を介して接続されていてもよい。例えば、測量機器１０と中継器とが第１通信ＩＦを介して接続され、中継器と施工支援装置２０とが第２通信ＩＦを介して接続されていてもよい。
【００２６】
施工管理サーバ４０には、予め設計杭芯位置などの設計データ４０ａ（図２参照）が格納されたデータベースＤＢを備えている。当該データベースＤＢに施工支援装置２０で支援された施工管理データ４０ｂ（図２参照）が累積記憶される。施工管理データ４０ｂには、削孔支援時に測定されるオーガ２による掘削姿勢の履歴、つまり削孔された孔の所定ピッチ毎の深度とそのときの削孔位置の履歴（設計杭芯位置に対するずれ量を含む）や孔の最大深さ、杭打ち支援時に測定される杭姿勢の履歴、つまり杭の打ち込み深さとその時の杭実軸芯の位置の履歴（設計杭芯位置に対するずれ量を含む）や最大杭先端深さなどが含まれる。
【００２７】
図２に示すように、測量機器１０は、水準器を備え、光波測距儀と角度を計測するセオドライトを組み合わせて測量するトータルステーションからなる測量部１０ａと、撮像装置１０ｂと、姿勢調整装置１０ｃと、第１通信ＩＦ１０ｄを備えて構成され、三脚（図１参照。）に所定姿勢で固定されている。測量部１０ａはマーカープリズムをターゲットとして視準して測量する機能以外に、マーカープリズムを用いない場合にも測量可能なノンプリズム機能を備えている。
【００２８】
測量部１０ａの視準方向と撮像装置１０ｂの光軸方向が平行となり、測量部１０ａの視準方向と撮像装置１０ｂによる撮像画像の画像中心が所定の関係となるように、撮像装置１０ｂが測量部１０ａに固定されている。本実施形態では、視準方向が画像中心と一致するように調整されている。なお、測量機器１０は、予め座標（Ｘ，Ｙ，Ｚ）が既知の２点と測量機器１０との３点の位置関係に対して後方交会法などを用いて自己の座標（Ｘ，Ｙ，Ｚ）を取得しており、自己の座標（Ｘ，Ｙ，Ｚ）を基準に任意の測量対象を視準して測量する。
【００２９】
測量部１０ａは視準した測量対象に対して、光波測距儀により求まる距離とセオドライトで求まる角度に基づいて算出した測量点の方位（水平角、鉛直角）を、第１通信ＩＦ１０ｄを介して施工支援装置２０を含む外部装置に出力する。また、撮像装置１０ｂは測量部１０ａと同期して撮像した画像を、第１通信ＩＦ１０ｄを介して施工支援装置２０を含む外部装置に出力する。
【００３０】
姿勢調整装置１０ｃは、測量部１０ａ及び撮像装置１０ｂを水平軸芯周りに回転させる第１モータ及び垂直軸芯周りに回転させる第２モータと、各モータを駆動するモータ制御部を備えて構成されている。
【００３１】
表示装置３０はモバイルコンピュータ、例えばタッチパネル式の液晶表示部を備えたタブレット型のコンピュータや携帯電話装置などで構成され、案内画像表示処理部３０ａと、第２通信ＩＦ３０ｂの機能ブロックを備えている。案内画像表示処理部３０ａは、予めインストールされたアプリケーションプログラムに基づいて動作する機能ブロックである。当該アプリケーションプログラムには表示処理以外に、測量機器１０に備えた姿勢調整装置１０ｃを遠隔操作する操作機能も備わっている
【００３２】
案内画像表示処理部３０ａによって施工支援装置２０で生成される補正案内画像や誘導案内画像が液晶表示部に表示される。表示装置３０が杭打ち機の操縦室などに配置されることにより、杭打ち機１の操縦者は削孔時または杭打ち時に表示装置３０に表示される補正案内画像に基づいてシリンダ機構１ｅなどを制御してリーダー１ｄの姿勢を調整することが可能になる。また、杭打ち機１を設計杭芯位置に向けて走行する際に表示装置３０に表示される誘導案内画像に基づいて杭打ち機１を操舵制御及び走行制御することで、効率的に杭打ち箇所に移動できるようになる。
【００３３】
施工支援装置２０は、ＣＰＵ、メモリ及び入出力回路などを備えたＣＰＵボードが内蔵され液晶表示部を備えたモバイルコンピュータで構成され、測量機器１０と接続する第１通信ＩＦ２０ａと、インターネット５に接続する第２通信ＩＦ２０ｂと、画像処理装置２０ｃと、実軸芯位置算出装置２０ｄと、補正処理装置２０ｅと、補正案内画像生成装置２０ｆと、追尾処理装置２０ｇと、計測対象切替装置２０ｈと、履歴管理部として機能する記憶装置２０ｉなどの機能ブロックを備えている。
【００３４】
当該ＣＰＵボードに搭載されたメモリに記憶されるアプリケーションプログラムがＣＰＵで実行されることによって各機能ブロックが具現化される。また、メモリの一部が記憶装置２０ｉの記憶領域として区画され、第１通信ＩＦ２０ａを介して測量機器１０から入力された測量点の距離や方位（水平角、鉛直角）及び撮像画像が記憶装置２０ｉに記憶される。
【００３５】
施工支援装置２０は、支援の態様に応じて複数の機能を発揮するように複数のアプリケーションプログラムがメモリに記憶されている。支援の態様とは、オーガ２を用いて削孔する際の削孔支援、杭保持機構に保持された杭を削孔された孔に打ち込む際の杭打ち支援、設計杭芯位置に杭打ち機を誘導する誘導支援、マーカとなる杭芯棒を設計杭芯位置に誘導する杭芯棒誘導支援などが含まれる。
【００３６】
［削孔及び杭打ち支援］
画像処理装置２０ｃは、測量対象となるオーガまたは杭を撮像した画像に基づいて、測量対象の実軸芯に対する視準方向の偏り角度を算出するように構成されている。実軸芯位置算出装置２０ｄは、測量機器１０で測量した測量対象までの測量データと、画像処理装置２０ｄで算出した偏り角度とに基づいて測量対象の実軸芯位置を算出するように構成されている。
【００３７】
補正処理装置２０ｅは、実軸芯位置算出装置２０ｄで算出した測量対象の実軸芯位置と予め設定された設計杭芯位置とに基づいて測量対象に対する補正量及び補正方向を算出するように構成されている。補正案内画像生成装置２０ｆは、補正処理装置２０ｅで算出した補正量及び補正方向を示す補正案内画像を生成するように構成されている。第２通信ＩＦ２０ｂは、補正案内画像を他の表示装置３０で表示可能に通信するように構成されている。
【００３８】
補正案内画像生成装置２０ｆで生成した補正案内画像を単純に表示装置３０に送信して表示装置３０の案内画像処理部３０ａで表示装置３０の表示画面に表示してもよく、インターネット５を介して接続した画像共有システムサーバを介して施工支援装置２０と表示装置３０の双方で同じ画像を表示する画像共有システムを利用してもよい。
【００３９】
また、施工支援装置２０そのものをクラウドサーバ上のアプリケーションとして構築し、インターネット５を介して複数または特定の表示装置３０がクラウドサーバ上のアプリケーションを実行させて施工支援装置２０として機能するように構成してもよい。この場合は、測量機器１０と中継器とが第１通信ＩＦを介して接続され、中継器と施工支援装置２０とが第２通信ＩＦを介して接続される。画像共有システムを利用した構成やクラウドサーバを用いた構成は、削孔支援、杭打ち支援のみならず後述の誘導支援や杭芯棒誘導支援でも同様に適用できる。
【００４０】
図３（ａ）には、測量部１０ａにより視準されたオーガ２の横断面が示されている。オーガ２の半径がｒ、オーガ２の軸芯がＰ、測量部１０ａによるオーガ２の測量点がＰ１、測量部１０ａと測量点Ｐ１との距離がＬ１で示されている。
【００４１】
測量機器１０の近傍に作業者が常駐して手動によりオーガ２を視準するのではなく、撮像装置１０ｂで撮像され、施工支援装置２０や表示装置３０に表示される撮像画像に基づいて、オーガ２が画像の中心に位置するように姿勢調整装置１０ｃが遠隔操作される。
【００４２】
そのため、測量部１０ａからオーガ２の軸芯を通る方向を正確に視準できず、撮像装置１０ｂによる画像の中心にオーガの実芯Ｐが位置すると想定される大凡の方向に視準されることになり、測量部１０ａから点Ｐ１までの距離Ｌ１が測量されることになる。
【００４３】
なお、測量機器１０を立ち上げて、施工支援装置２０と通信可能に接続するために初期には作業者が測量機器１０を操作してオーガ２を視準する場合もあるが、オーガ２の軸芯を示す位置にマーカとなるプリズムが設けられるものではないため、上述した遠隔操作時と同様にオーガ２の軸芯を通る方向を正確に視準できず、撮像装置１０ｂによる画像の中心にオーガ２の実軸芯Ｐが位置すると想定される大凡の方向に視準される。測量機器１０を手動操作する場合であっても遠隔操作する場合であっても、初期の視準方向は設計杭芯に設定するとともに、高さを所望の値、例えば地上数ｍの値に設定すればよい。
【００４４】
回転するオーガ２を測量するため、オーガ２の軸表面ではない掘削用のスクリュー刃２ａ（図１参照。）を測量する場合もある。そのようなノイズデータを排除するべく、所定インタバルで測量した複数のデータから最大値及び最小値を排除して、残りのデータの平均値を測量値として採用することが好ましい。或は所定インタバルで測量した複数のデータの平均値を求め、当該平均値から所定の閾値以上異なるデータを排除し、残りのデータの平均値を測量値として採用してもよい。
【００４５】
図３（ｂ）にはその時の撮像装置１０ｂにより撮像されたオーガ２の画像が示されている。画像中心に視準点Ｐ１が位置し、オーガ２の実軸芯Ｐはオーガ２の画像の横幅方向の中心（つまり、視準点Ｐ１より水平方向にずれた位置）に位置することになる。
【００４６】
実軸芯Ｐと視準点Ｐ１との間の水平方向の画素数に基づいて、測量部１０ａから視準点Ｐ１を結ぶ線分と測量部１０ａから実軸芯Ｐを結ぶ線分の偏り角度θが求まる。
【００４７】
詳述すると、測量部１０ａによる視準方向（撮像画像の中心点）と撮像装置１０ｂで撮像されたオーガ２の画像から求まる実軸芯位置との間の１画素当たりの偏り角度ｋが既知であるので、偏り角度θ＝ｋ×ｎ（ｎは画素数）で求まる。１画素当たりの偏り角度ｋは撮像装置１０ｂ固有の値で予め実測しておけばよく、撮像装置１０ｂの画角を画像の幅方向のピクセル数で除すことで求まる。
【００４８】
偏り角度θが求まると、視準方向から角度θずらした直線である測量部１０ａとオーガ２の実軸芯とを結ぶ直線の方程式が求まる。視準点Ｐ１を中心とする半径ｒの円Ｒ（ｒはオーガ２の半径）と上述の測量部１０ａとオーガ２の実軸芯とを結ぶ直線との交点の座標が、オーガ２の実軸芯Ｐの座標と求まる。
【００４９】
オーガ２の画像から実軸芯Ｐと視準点Ｐ１との間の水平方向の画素数を算出する前に、例えば、撮像画像をグレースケール画像に変換し、所定の閾値で二値化処理するなどの公知の画像処理を行なうことにより撮像画像から背景を除去したオーガ２のみの画像が抽出できる。オーガ２の左右のエッジを検出し、左右のエッジ間の中心位置をオーガ２の実軸芯方向として求めることができる。
【００５０】
このようにしてオーガ２の当該高度における実軸芯Ｐの平面座標（Ｘ，Ｙ）が求まるので、当該高度におけるオーガ２の実軸芯Ｐと設計杭芯との水平方向のずれ量が算出できる。なお、設計杭芯は、予め施工管理サーバ４０を介してデータベースＤＢに格納された設計データ４０ａが施工支援装置２０の記憶装置２０ｉにダウンロードされている。
【００５１】
つまり、画像処理装置２０ｃでは、視準方向が画像中心に設定された撮像装置１０ｂで撮像された画像に基づいて、測量対象であるオーガ２の軸芯に対する視準方向の偏り角度θを算出する画像処理ステップが実行される。そして、軸芯位置算出装置２０ｄでは、測量機器１０で測量した測量対象までの測量データと、当該偏り角度θとに基づいて測量対象の実軸芯位置が算出される。
【００５２】
補正処理装置２０ｅでは、当該実軸芯位置と予め設定された設計杭芯位置とに基づいて測量対象に対する補正量及び補正方向、つまりずれ量及びずれ方向を算出する補正処理ステップが実行される。
【００５３】
さらに、オーガ２の鉛直方向に対する傾斜の程度を求めるために、上述した視準点よりも上側または下側に例えば数十ｃｍから数ｍの範囲の所定高さ離れた位置を視準して測量及び撮像するように構成されている。上下に視準を切り替えるタイミングは特に限定するものではないが、数秒から十数秒の値に設定するのが好ましい。
【００５４】
画像処理装置２０ｃは、測量対象の高さ方向に異なる二点に対する画像に基づいて測量対象の軸芯に対する視準方向の偏り角度を算出し、実軸芯位置算出装置２０ｄは、測量対象の高さ方向に異なる二点に対する実軸芯位置を算出し、補正処理装置２０ｅは、測量対象の高さ方向に異なる二点に対する補正量及び補正方向を算出し、補正案内画像生成装置２０ｆは、測量対象の高さ方向に異なる二点に対する補正案内画像を表示するように構成されている。
【００５５】
計測ステップを測量対象の高さ方向に異なる二点に対して実行すれば、其々の高さ方向で実軸芯位置（Ｘ，Ｙ）が計測できるため、其々の実軸芯位置を基準に二点間の傾斜状態が正確に求まる。
【００５６】
補正案内画像生成装置２０ｆでは、当該補正量及び補正方向を示す補正案内画像が生成されて、杭打ち機１を操作する作業者が目視可能な表示装置３０に表示される。
【００５７】
図３（ｃ）には、このようにして求められたオーガの傾斜姿勢及び設計杭芯に対する現在の偏りを表した補正案内画像が示されている。図中、右側には東西南北を示す方位に対して、設計杭芯を中心とする二重の同心円Ｃ１，Ｃ２が示されている。小径の円Ｃ２と大径の円Ｃ１の間に二つの小円が示されている。小円の一方はオーガ２の軸芯に沿って上方の実軸芯位置ＰＵを示し、他方は下方の実軸芯位置ＰＬを示している。また、図中、左側には上下の実軸芯位置ＰＵ，ＰＬの座標から求まる南北方向の傾斜角と、東西方向の傾斜角が示されている。
【００５８】
作業者は表示装置３０に表示された補正案内画像を目視して、オーガ２の軸芯が設計杭芯に一致するように測量対象の姿勢調整装置であるシリンダ機構１ｅを操作する。この様な手順が繰り返されることにより、適切な杭打ち支援ができるようになる。一連のステップにおいて測量機器の近傍に作業者が待機する必要が無く、初期に杭打ち機に支持される削孔用オーガまたは杭本体を含む測量対象を、例えば施工支援装置２０を介して遠隔操作すれば、視準精度に左右されることなく、その後も正確に実軸芯位置が計測できる。
【００５９】
記憶装置２０ｉは履歴管理装置として機能し、補正処理ステップで算出された補正量及び補正方向に基づいて杭打ち機で削孔された杭孔の深さと設計杭芯とのずれの履歴情報を記憶する履歴管理ステップが実行される。そして、作業終了後に施工管理サーバ４０に履歴情報をアップロードしておけば、作業履歴及び削孔精度が履歴データとして管理できる。
【００６０】
以上の説明では、削孔プロセスにおけるオーガ２が測量対象となる削孔支援を説明したが、削孔の後に杭を打ち込む際には杭を測量対象とすることで、打ち込まれる過程における杭本体の深さとそのときの設計杭芯とのずれの測定と履歴情報の管理を行なう杭打ち支援も可能になる。
【００６１】
測量機器１０を用いて杭打ち機１の所定位置に備えたプリズムマーカを視準してその位置を測量し、その測量データと前記計測ステップで求めたオーガまたは杭本体の実軸芯位置に基づいて杭打ち機１の運転席の向きを求める杭打ち機計測装置をさらに備え、補正案内画像生成装置２０ｆが、杭打ち機計測装置で測量した杭打ち機の運転席の向きを基準とする補正案内画像を表示装置３０に表示するように構成することが好ましい。
【００６２】
表示装置３０に表示される補正量及び補正方向を示す補正案内画像は、例えば図３（ｃ）に示したように、画面の左方の向きを北、右方を南、といった具合に、基本的に測量機器で測量された値に基づいて予め定められた方位を基準に示される。杭打ち機１の操縦桿を操作する作業者の向きと補正案内画像の向きが相違する場合に、作業者は頭の中で補正案内画像の向きを作業者の向きにイメージ変換して操縦桿を操作する必要があるため、混乱を招く虞がある。そのような場合でも、杭打ち機計測ステップで杭打ち機を測量することで、操縦桿を操作する作業者の向きを特定することができ、杭打ち機の向きを基準とする補正案内画像を生成して表示装置に表示することができる。
【００６３】
図４には、上述した施工支援装置２０を用いて実行される削孔及び杭打ちの支援方法が示されている。
基礎杭支援アプリケーションプログラムが立ち上がると（ＳＡ１）、設定ファイルがダウンロードされ、記憶装置２０ｉに記憶される（ＳＡ２）。トータルステーション（ＴＳ）が初期設定されて（ＳＡ３）、オーガが視準されるように遠隔操作される（ＳＡ４）。
【００６４】
オーガ軸下基準部に対する測量データ及び撮像画像が入力されて記録装置にタイムスタンプとともに記憶され（ＳＡ５）、所定時間経過後にオーガ軸上基準部に対する測量データ及び撮像画像が入力されて記録装置にタイムスタンプとともに記憶される（ＳＡ６）。
【００６５】
上下其々の画像データに基づき視準方向偏り演算が実行され（ＳＡ７）、上下其々のオーガの実軸芯位置が算出され（ＳＡ８）、さらに上下其々の補正量・補正方向が算出されるとともに（ＳＡ９）、傾斜角度が算出され（ＳＡ１０）、その結果に基づいて補正案内画像が生成されて（ＳＡ１１）、補正案内画像が出力される（ＳＡ１２）。
【００６６】
削孔が終了するまでは（ＳＡ１３）、ステップＳＡ５からＳＡ１２が繰り返され、削孔が終了すると（ＳＡ１３）、最終の削孔深さが算出され（ＳＡ１４）、計測した履歴データが記録装置２０ｉから読み出されて施工管理サーバ４０にアップロードされる（ＳＡ１５）。
【００６７】
［杭打ち機誘導支援］
工事現場である杭打ち対象区域１００（図５参照）では、複数本の杭に対応した削孔処理及び杭打ち処理が必要になる。
そこで、図５（ａ）に示すように、杭打ち機１の一部を測量対象として測量機器１０で測量し、その結果に基づいて任意の設計杭芯近傍まで杭打ち機１を誘導処理することにより、工程管理などが効率的に行なえるようになる。この様な支援を杭打ち機誘導支援という。図５（ａ）中、○印は設計杭芯位置を示し、ハッチングされた○印は誘導先の設計杭芯Ａを示す。
【００６８】
図５（ｂ）に示すように、初期に測量対象として杭打機１のリーダー１ｄの上方位置を視準し、施工支援装置２０により視準位置が設計杭芯Ａに接近するように杭打ち機１を誘導する誘導案内画像を生成し、生成した誘導案内画像を杭打ち機１の運転席に備えた表示装置３０に表示することになる。リーダー１ｄの上方位置を視準するのは、障害物の陰になってリーダー１ｄが測量機器１０に備えた撮像装置１０ｂによる撮像画像から消失するなどの不都合な事態の発生を回避するためである。
【００６９】
画像処理装置２０ｃは、測量機器１０から得られ杭打ち機１に支持される第１の測量対象となるリーダー１ｄを撮像した画像に基づいて、第１の測量対象の基準位置に対する視準方向のずれ量を算出するように構成されている。
【００７０】
基準位置とは、追尾のためにリーダー１ｄに設定された基準となる位置をいう。最初にリーダー１ｄを視準した位置（撮像画像の中心となる位置）、最初にリーダー１ｄを視準したときの撮像画像中のリーダー１ｄの横幅方向（水平方向）の中央位置などが基準位置に設定される。当該基準位置とその後の測量時に撮像される画像から算出される基準位置との差を杭打機１の移動に伴うずれ量として算出する。最初の視準位置と基準位置との相対関係と、その後の視準位置と基準位置との相対関係の変化に基づいて杭打機１の移動に伴うずれ量を算出するものであってもよい。
【００７１】
画像処理装置２０ｃは、図３（ｂ）で説明したと同様に、撮像画像からリーダー１ｄの画像を抽出して、画像中心である視準位置に対して所定の関係を有するリーダー１ｄの画像上の任意の点を基準点として特定する。図３（ｂ）を例にすれば、視準位置（画像中心）を通りリーダー１ｄの横幅方向（水平方向）を貫く水平線上で、リーダー１ｄの左右両エッジの間の中央位置を基準位置として特定することになる。
【００７２】
基準位置として、当該水平線とリーダー１ｄの左側エッジとの交点位置や、当該水平線とリーダー１ｄの右側エッジとの交点位置を選択することができ、上述した最初の視準位置を基準位置として選択してもよい。
【００７３】
実軸芯位置算出装置２０ｄは、測量部１０ａで視準した位置に対する測量データに基づいて画像上で特定した基準位置に対する実際の座標（Ｘ，Ｙ）を算出する。
【００７４】
誘導案内画像生成装置２０ｆは、リーダー１ｄの基準位置の座標（Ｘ，Ｙ）と削孔対象となる設計杭芯位置Ａとが大きく離隔している初期には、図５（ｂ）に示すように、複数の設計軸芯位置が示された杭打ち対象区域１００の平面図上に、リーダー１ｄの現在の基準位置と目標となる設計杭芯位置を他の設計杭芯位置と識別可能な態様（例えば表示色や点滅等の表示態様）で表示するとともに誘導方向、位置情報などを表示する第１の誘導案内画像を生成する。
【００７５】
誘導案内画像生成装置２０ｆは、リーダー１ｄの基準位置の座標（Ｘ，Ｙ）と削孔対象となる設計杭芯位置Ａとが１ｍから数十ｃｍ程度の距離まで接近すると、図５（ｃ）に示すような態様で誘導方向、位置情報などを表示する第２の誘導案内画像を生成する。図５（ｃ）の内側円は設計杭芯を中心に杭打ち機１が移動しなくても削孔可能な領域を示す。
【００７６】
何れも、誘導案内画像に基づいて杭打ち機１が走行すると、測量部１０ａの視準位置からリーダー１ｄが移動して上述したずれが生じ、やがて視準方向がリーダー１ｄから外れることになる。追尾処理装置２０ｇはずれ量に基づいて測量機器１０の姿勢調整装置１０ｃを遠隔操作して視準方向がリーダー１ｄから逸脱しないように測量機器１０（測量部１０ａ）の視準方向を調整するように構成されている。
【００７７】
遠隔操作とは、第１通信ＩＦ２０ａ，１０ｄを介して姿勢調整装置１０ｃに備えたモータ制御部を作動させることをいう。なお、モータ制御部は旋回角度または旋回角速度の何れかの外部指令、つまり施工支援装置２０からの指令に基づいてモータを制御するように構成されている。
【００７８】
具体的に追尾処理装置２０ｇは、当該ずれ量に基づいて姿勢調整装置１０ｃに備えたモータを制御すべく測量機器１０の旋回方向及び旋回角度を遠隔操作するように構成されている。測量機器１０の測量インタバルに比べてリーダー１ｄの移動速度が速い場合には、計測機器１０が杭打ち機１を適切に追尾できなくなる虞がある。
【００７９】
そのような場合に備えて、追尾処理装置２０ｇは、ずれ量に基づいて姿勢調整装置１０ｃによる測量機器１０の旋回方向及び旋回角速度を遠隔操作するように構成されている。旋回角度に代えて旋回角速度を制御することにより、より高速に測量機器１０を旋回させることができる。測量機器１０による測量インタバルの上限は予め決まっているので、その上限のインタバルで測量した場合であっても、その間の杭打ち機１のリーダー１ｄの移動先まで旋回させることができる。
【００８０】
リーダー１ｄの基準位置の過去の測量値と測量時刻に基づいてリーダー１ｄの移動速度を求め、当該移動速度に基づいて測量機器１０による測量インタバルでリーダー１ｄが捕捉できるように旋回角速度を設定することが好ましい。
【００８１】
以下に、基準位置を上述したリーダー１ｄの左右両エッジの間の中央位置を基準位置とする場合の追尾処理の一例を説明する。測量機器１０に備えた測量部１０ａにより１秒前後の一定サイクルでリーダー１ｄが測量されるとともに、撮像装置１０ｂでリーダー１ｄが撮像される。
【００８２】
測量部１０ａによる視準方向（撮像画像の中心点）と撮像装置１０ｂで撮像されたリーダー１ｄの画像から求まる基準位置との間の１画素当たりの偏り角度ｋが既知であるので、測量機器１０から視て視準方向に対する基準位置の偏り角度θは、偏り角度θ＝ｋ×ｎ（ｎは画素数）で求まる。１画素当たりの偏り角度ｋは撮像装置１０ｂ固有の値で予め実測しておけばよく、撮像装置１０ｂの画角を画像の幅方向のピクセル数で除すことで求まる。
【００８３】
基準位置の方位角φは、測量部１０ａから得られる現在の視準方向角αに偏り角度θを加算することで求まる（φ＝α＋θ）。また、前回の測量により得られた視準方向角αと今回の測量により得られる視準方向角αの差分Δαが求まる。
【００８４】
各測量サイクルで求めた偏り角度θがずれ量となるので、測量サイクル毎に偏り角度θだけ測量機器１０を旋回させるように姿勢調整装置１０ｃを遠隔制御すればよい。なお、前回求めた偏り角度θと今回求めた偏り角度θの差Δθを算出し、偏り角度θの差Δθが零になるように測量機器１０を旋回させることも可能である。ずれ量が常に一定になるように追尾することになる。
【００８５】
旋回に要する時間が上述した測量サイクル時間より長くなるような場合には、旋回が遅延して次回の測量に間に合わない虞がある。そのような場合には前回と今回の視準方向角αの差分Δαに比例する旋回速度で測量機器１０を旋回させる。例えば、角速度ω＝Δα／サイクルタイムで求まる角速度で測量機器１０を旋回させることにより、上述した遅延の弊害を回避することができる。また、角速度ω（ω＝（Δα＋θ）／サイクルタイム）で求まる角速度で測量機器１０を旋回させてもよい。
【００８６】
図６には、上述した施工支援装置２０を用いて実行される杭打ち機の誘導支援方法が示されている。
基礎杭支援アプリケーションプログラムが立ち上がると（ＳＢ１）、設定ファイルがダウンロードされ、記憶装置２０ｉに記憶される（ＳＢ２）。トータルステーション（ＴＳ）が初期設定されて（ＳＢ３）、リーダー１ｄが視準されるように遠隔操作される（ＳＢ４）。
【００８７】
リーダー１ｄ上部に対する測量データ及び撮像画像が入力されて記録装置にタイムスタンプとともに記憶され（ＳＢ５）、画像からリーダー１ｄの基準位置と設計杭芯のずれが演算され（ＳＢ６）、設計杭芯位置への案内情報である距離と方向が算出される（ＳＢ７）。
【００８８】
リーダー１ｄの基準位置と設計杭芯位置Ａの距離が長い場合には（ＳＢ８，Ｙ）、第１誘導案内画像が生成され（ＳＢ１０）、リーダー１ｄの基準位置と設計杭芯位置Ａの距離が短い場合には（ＳＢ８，Ｙ）、第２誘導案内画像が生成され（ＳＢ１１）、誘導案内画像が出力されて表示装置３０に表示される。
【００８９】
撮像画像の中心とターゲットであるリーダー１ｄの基準位置がずれていると（ＳＢ１３）、杭芯追尾処理が実行されて（ＳＢ１４）、リーダー１ｄを追尾するように測量機器１０の視準方向が遠隔操作される（ＳＢ１５）。このようにして誘導が完了するまでは（ＳＢ１６、Ｎ）、ステップＳＢ５からステップＳＢ１５までの処理が繰り返される。誘導が完了すると（ＳＢ１６，Ｙ）、杭打ち機に支持される第１の測量対象であるリーダー１から第２の測量対象であるオーガ２または杭に切り替えられる（ＳＢ１７）。
【００９０】
その後削孔及び杭打ち支援が実行され、杭打ちが終了すると、他の設計杭芯位置に対して、ステップＳＢ４からステップＳＢ１７が繰り返される。
【００９１】
［杭芯棒誘導支援］
上述した杭打ち機誘導支援が行なわれると、予め設計杭芯位置に目印となる杭芯棒を打ち込む必要が無くなるが、工事現場である杭打ち対象区域１００が狭い区域であれば、わざわざ杭打機１を誘導するまでもなく、従来の杭芯棒を各設計杭芯位置に打ち込んでおき、各設計杭芯位置を目印にして杭打ち機１を移動させることで事足りる。そのような場合に杭芯棒誘導支援が有効になる。
【００９２】
この場合、測量機器１０により作業者が所持するターゲット（プリズムターゲット）が視準されて測量されるとともに撮像される。つまり、測量部１０ａの動作モードがマーカープリズムを用いない場合にも測量可能なノンプリズム機能からマーカープリズムを視準するように自動追尾するプリズム機能に切り替えられる。
【００９３】
画像処理装置２０ｃでは、撮像画像に含まれるターゲットの位置が算出され、補正処理装置２０ｅでターゲットの位置が予め設定された設計杭芯位置に一致するようにターゲットの移動方向と移動距離が算出され、誘導案内画像生成装置２０ｆでターゲットを設計杭芯位置に誘導する誘導案内画像が生成される。
【００９４】
作業者が所持する表示装置３０に誘導案内画像が表示されると、表示装置に表示した誘導案内画像に従って作業者がターゲットを設計杭芯位置に向けて移動する。このとき、測量機器１０に備えた自動追尾機能が作動して、ターゲットが自動追尾される。なお、測量機器１０に備えた自動追尾機能を用いない場合には、追尾処理装置２０ｇによって上述の杭芯追尾処理と同様の追尾処理が行なわれる。
【００９５】
このようにしてターゲットを所持した作業者が設計杭芯位置に誘導された後に、作業者が杭芯棒をその位置に打ち込む。この様な処理が全ての設計杭芯に対して繰返し実行される。なお、誘導案内画像生成装置２０ｆにより生成される誘導案内画像は、図５（ｂ），（ｃ）と同様に、ターゲットと設計杭芯位置との距離が長い場合には第１誘導案内画像が生成され、ターゲットと設計杭芯位置との距離が短い場合には第２誘導案内画像が生成されて誘導案内画像が出力される点は同じである。
【００９６】
図７には、杭芯出し支援処理の手順が示されている。基本的に図６の杭打ち機誘導支援処理の手順と同様であるので、詳述は割愛する。
【００９７】
以上説明した通り、第一の基礎杭の施工支援方法は、視準方向と画像中心とが所定の位置関係となる撮像装置と、視準方向を遠隔操作可能な姿勢調整装置と、を備えた測量機器を用いて、杭打ち機に支持される削孔用オーガまたは杭本体を含む測量対象を視準して測量するとともに撮像する計測ステップと、前記計測ステップで撮像された画像に基づいて前記測量対象の杭芯に対する視準方向の偏り角度を算出する画像処理ステップと、前記計測ステップで測量した前記測量対象までの測量データと、前記画像処理ステップで算出した偏り角度とに基づいて前記測量対象の実軸芯位置を算出する実軸芯位置算出ステップと、前記実軸芯位置算出ステップで算出した前記測量対象の実軸芯位置と予め設定された設計杭芯位置とに基づいて前記測量対象に対する補正量及び補正方向を算出する補正処理ステップと、前記補正処理ステップで算出した補正量及び補正方向を示す補正案内画像を表示装置に表示する表示処理ステップと、前記補正案内画像に基づいて作業者が前記測量対象の姿勢調整装置を調整して削孔または杭打ちする姿勢調整ステップと、前記測量機器の視準方向を保持した状態で、前記計測ステップから前記姿勢調整ステップに到る一連のステップを繰り返すように構成されている。
【００９８】
前記計測ステップは、前記測量対象の高さ方向に異なる二点に対して実行し、前記実軸芯位置算出ステップは、高さ方向に異なる二点に対する実軸芯位置から鉛直に対する傾斜角度を算出し、前記表示処理ステップは、前記補正案内画像に高さ方向に異なる二点に対する補正量及び補正方向を示す、ように構成されていることが好ましい。
【００９９】
前記補正処理ステップで算出された前記補正量及び補正方向に基づいて前記杭打ち機で削孔された杭孔、或は打ち込まれた杭本体の深さとずれの履歴情報を記憶装置に記憶する履歴管理ステップを、さらに備えていることが好ましい。
【０１００】
前記測量機器を用いて前記杭打ち機を視準して測量し、前記杭打ち機の向きを求める杭打ち機計測ステップをさらに備え、前記表示処理ステップは、前記杭打ち機計測ステップで測量した前記杭打ち機の向きを基準とする前記補正案内画像を前記表示装置に表示するように構成されていることが好ましい。
【０１０１】
前記測量機器を用いて前記杭打ち機に支持される削孔用オーガまたは杭本体を含む測量対象の基準位置を削孔または打込み前に計測する初期位置計測ステップと、前記削孔または打込み終了後に計測する終了位置計測ステップと、前記初期位置計測ステップ及び前記終了位置計測ステップで其々計測した前記基準位置の高さの差に基づいてドリル深度または杭深度を算出して記録する深度算出ステップを、さらに備えていることが好ましい。
【０１０２】
第二の基礎杭の施工支援方法は、視準方向と画像中心とが所定の位置関係となる撮像装置と視準方向を遠隔操作可能な姿勢調整装置とを備えた測量機器を用いて、杭打ち機に支持される第１の測量対象を視準して測量するように遠隔操作するとともに撮像する計測ステップと、前記計測ステップで撮像された画像に基づいて前記第１の測量対象の基準位置と視準方向とのずれ量を算出する画像処理ステップと、前記ずれ量に基づいて前記姿勢調整装置を遠隔操作して前記測量機器の視準方向を調整する追尾ステップと、前記計測ステップから前記追尾ステップまでの各ステップを繰返し、前記計測ステップで測量した前記第１の測量対象の位置が予め設定された設計杭芯位置の近傍に位置すると、前記杭打ち機に支持される測量対象を前記第１の測量対象とは異なる第２の測量対象に切り替える測量対象切替ステップと、を備えて構成されている。
【０１０３】
前記追尾ステップは、前記ずれ量に基づいて前記姿勢調整装置による前記測量機器の旋回方向及び旋回角度を遠隔操作するように構成されていることが好ましい。
【０１０４】
前記追尾ステップは、前記ずれ量に基づいて前記姿勢調整装置による前記測量機器の旋回方向及び旋回角速度を遠隔操作するように構成されていることが好ましい。
【０１０５】
前記計測ステップで前記測量機器により計測した前記第１の測量対象の位置及び前記設計杭芯位置に基づいて前記杭打ち機を前記設計杭芯位置に誘導する誘導案内画像を表示装置に表示する追尾状態表示処理ステップを備えていることが好ましい。
【０１０６】
第三の基礎杭の施工支援方法は、視準方向と画像中心とが所定の位置関係となる撮像装置と視準方向を遠隔操作可能な姿勢調整装置とを備えた測量機器を用いて、作業者が所持するターゲットを視準して測量するとともに撮像する計測ステップと、前記計測ステップで測量した前記ターゲットの位置が予め設定された設計杭芯位置に一致するように前記ターゲットの移動方向と移動距離を算出する案内情報算出ステップと、前記案内情報算出ステップで算出した前記ターゲットの移動方向と移動距離と、前記計測ステップで撮像した画像を含む誘導案内画像を、前記作業者が目視可能な表示装置に表示する案内ステップと、前記表示装置に表示した誘導案内画像に基づいて前記作業者が前記ターゲットを前記設計杭芯位置に向けて移動する際に、前記姿勢調整装置を遠隔操作して前記測量機器の視準方向を調整する杭芯追尾ステップと、前記計測ステップから前記杭芯追尾ステップまでの各ステップを繰り返すことにより誘導された前記ターゲットの位置である前記設計杭芯位置に杭芯棒を設置する杭芯棒設置ステップと、を備えて構成されている。
【０１０７】
前記案内情報算出ステップで算出した前記ターゲットの移動距離に基づいて前記案内ステップで表示される案内画像が切り替えられることが好ましい。
【０１０８】
第一の基礎杭の施工支援システムは、
視準方向と画像中心とが所定の位置関係となる撮像装置と、視準方向を遠隔操作可能な姿勢調整装置と、を備えた測量機器と、前記測量機器を用いて杭打ち機に支持される削孔用オーガまたは杭本体を含む測量対象を撮像した画像に基づいて前記測量対象の軸芯に対する視準方向の偏り角度を算出する画像処理装置と、前記測量機器で測量した前記測量対象までの測量データと、前記画像処理装置で算出した偏り角度とに基づいて前記測量対象の実軸芯位置を算出する実軸芯位置算出装置と、前記実軸芯位置算出装置で算出した前記測量対象の実軸芯位置と予め設定された設計杭芯位置とに基づいて前記測量対象に対する補正量及び補正方向を算出する補正処理装置と、前記測量対象の姿勢調整装置を調整する作業者に所持され、前記補正処理装置で算出した補正量及び補正方向を示す補正案内画像を表示する表示装置と、を備えて構成されている。
【０１０９】
前記画像処理装置は、前記測量対象の高さ方向に異なる二点に対する画像に基づいて前記測量対象の軸芯に対する視準方向の偏り角度を算出し、前記実軸芯位置算出装置は、前記測量対象の高さ方向に異なる二点に対する実軸芯位置を算出し、前記補正処理装置は、前記測量対象の高さ方向に異なる二点に対する補正量及び補正方向を算出し、前記表示装置は、前記測量対象の高さ方向に異なる二点に対する補正案内画像を表示する、ように構成されている。
【０１１０】
第二の基礎杭の施工支援システムは、視準方向と画像中心とが所定の位置関係となる撮像装置と、視準方向を遠隔操作可能な姿勢調整装置と、を備えた測量機器と、前記測量機器を用いて杭打ち機に支持される第１の測量対象を撮像した画像に基づいて前記第１の測量対象の基準位置に対する視準方向のずれ量を算出する画像処理装置と、前記ずれ量に基づいて前記姿勢調整装置を遠隔操作して前記測量機器の視準方向を調整する追尾処理装置と、前記測量機器で測量した前記第１の測量対象の位置が予め設定された設計杭芯位置の近傍に位置すると、前記姿勢調整装置を遠隔操作して前記杭打ち機に支持される測量対象を前記第１の測量対象とは異なる第２の測量対象に切り替える測量対象切替装置と、を備えている。
【０１１１】
前記追尾処理装置は、前記ずれ量に基づいて前記姿勢調整装置による前記測量機器の旋回方向及び旋回角度を遠隔操作するように構成されていることが好ましく、前記ずれ量に基づいて前記姿勢調整装置による前記測量機器の旋回方向及び旋回角速度を遠隔操作するように構成されていることがより好ましい。
【０１１２】
前記測量機器により計測した前記第１の測量対象の位置及び前記設計杭芯位置に基づいて前記杭打ち機を前記設計杭芯位置に誘導する誘導案内画像を表示する表示装置を備えていることが好ましい。
【０１１３】
上述した実施形態は何れも本発明の一態様に過ぎず、該記載により本発明の技術的範囲が限定されるものではなく、本発明の作用効果を奏する範囲で各部の具体的な構成は適宜変更設計することができることはいうまでもない。
【符号の説明】
【０１１４】
１：杭打ち機
１ｄ：リーダー
１ｅ：シリンダ機構
２：オーガ
２ａ：スクリュー刃
３：モータ
１０：測量機器
１０ａ：測量部
１０ｂ：撮像装置
１０ｃ：姿勢調整装置
１０ｄ：第１通信ＩＦ
２０：施工支援装置
２０ａ：第１通信ＩＦ
２０ｂ：第２通信ＩＦ
２０ｃ：画像処理装置
２０ｄ：実軸芯位置算出装置
２０ｅ：補正処理装置
２０ｆ：補正（誘導）案内画像生成装置
２０ｇ：追尾処理装置
２０ｈ：測量対象切替装置
２０ｉ：記憶装置
３０：表示装置
３０ａ：案内画像表示処理部
３０ｂ：第２通信ＩＦ
４０：施工管理サーバ
【要約】
【課題】杭打ち作業に要する工程を可能な限り自動化して人手を介さずに精度の高い計測処理を可能にする基礎杭の施工支援装置を提供する。
【解決手段】施工支援装置は、測量機器と接続され、杭打ち機に支持される測量対象を撮像した画像及び測量データを入力する第１通信インタフェースと、測量対象の撮像画像に基づいて測量対象の軸芯に対する視準方向の偏り角度を算出する画像処理装置と、測量対象までの測量データと偏り角度とに基づいて測量対象の実軸芯位置を算出する実軸芯位置算出装置と、測量対象の実軸芯位置と予め設定された設計杭芯位置とに基づいて測量対象に対する補正量及び補正方向を算出する補正処理装置と、補正処理装置で算出した補正量及び補正方向を示す補正案内画像を生成する補正案内画像生成装置と、補正案内画像を他の表示装置で表示可能に通信する第２通信インタフェースと、を備えている。
【選択図】図２【図１】
0006721224.tif 000002
【図２】
0006721224.tif 000003
【図３】
0006721224.tif 000004
【図４】
0006721224.tif 000005
【図５】
0006721224.tif 000006
【図６】
0006721224.tif 000007
【図７】
0006721224.tif 000008